(57)【要約】【課題】利用者がデジタルコンテンツの内容を把握しながら、他の行動を行うことも可能なデジタルコンテンツ再生装置を提供する。【解決手段】画像データと音データを含む電子ブックを再生するヘッドマウントディスプレイ（ＨＭＤ）１であって、画像データに基づく画像を表示する表示手段（投影部６及び偏光シャッタ５）と、音データに基づく音を出力するスピーカ７と、ＨＭＤの動きの有無を判定する動き判定機能と、動き判定機能で判定した動きの有無に応じて、電子ブックの出力先を制御する出力先制御機能を有するシステム制御部１２とを備える。【選択図】図１
2009222774.tif 000002
【特許請求の範囲】
【請求項１】
画像データと音データを含むデジタルコンテンツを再生するデジタルコンテンツ再生装置であって、
前記デジタルコンテンツの出力先であって、前記画像データに基づく画像を表示する表示手段と、
前記デジタルコンテンツの出力先であって、前記音データに基づく音を出力する音出力手段と、
前記デジタルコンテンツ再生装置の動きの有無を判定する動き判定手段と、
前記動き判定手段で判定された動きの有無に応じて、前記デジタルコンテンツの出力先を制御する制御手段とを備えるデジタルコンテンツ再生装置。
【請求項２】
請求項１記載のデジタルコンテンツ再生装置であって、
前記制御手段が、前記音データを前記音出力手段に出力している状態で、前記動きがないと判定されたとき、前記音データの出力を停止すると共に、前記画像データを前記表示手段に出力し、前記画像データを前記表示手段に出力している状態で、前記動きがあると判定されたとき、前記画像データの出力を停止すると共に、前記音データを前記音出力手段に出力するデジタルコンテンツ再生装置。
【請求項３】
請求項２記載のデジタルコンテンツ再生装置であって、
前記制御手段が、前記音データを前記音出力手段に出力している状態で、前記動きがないと判定される期間が一定期間以上続いたとき、前記音データの出力を停止すると共に、前記画像データを前記表示手段に出力するデジタルコンテンツ再生装置。
【請求項４】
請求項２又は３記載のデジタルコンテンツ再生装置であって、
前記制御手段が、前記画像データを前記表示手段に出力している状態で、前記動きがあると判定された期間が一定期間以上続いたとき、前記画像データの出力を停止すると共に、前記音データを前記音出力手段に出力するデジタルコンテンツ再生装置。
【請求項５】
請求項２〜４のいずれか１項記載のデジタルコンテンツ再生装置であって、
人体に装着して使用するものであり、
前記デジタルコンテンツ再生装置が移動していることを特定可能な情報を取得する情報取得手段と、角速度センサとを備え、
前記動き判定手段が、前記情報取得手段からの情報によって前記デジタルコンテンツ再生装置が移動していると判定し、且つ、前記角速度センサからの情報により、前記デジタルコンテンツ再生装置の前記人体に対する動きがないと判定したときには、前記デジタルコンテンツ再生装置の動きはないものとして判定し、前記情報取得手段からの情報によって前記デジタルコンテンツ再生装置が移動していると判定し、且つ、前記角速度センサからの情報により、前記デジタルコンテンツ再生装置の前記人体に対する動きがあると判定したときには、前記デジタルコンテンツ再生装置の動きがあると判定するデジタルコンテンツ再生装置。
【請求項６】
請求項２〜５のいずれか１項記載のデジタルコンテンツ再生装置であって、
周囲の音圧を測定する音圧センサを備え、
前記制御手段が、前記音出力手段に前記音データを出力している状態で前記音圧センサにより測定された音圧が閾値以上となったとき、前記音データの出力を継続しながら、前記画像データを前記表示手段にも出力するデジタルコンテンツ再生装置。
【請求項７】
請求項２〜６のいずれか１項記載のデジタルコンテンツ再生装置であって、
前記デジタルコンテンツ再生装置を装着した人物の視線を検出する視線検出手段を備え、
前記制御手段が、前記音出力手段に前記音データを出力している状態で前記視線検出手段により検出される視線が一定箇所に集中していたとき、前記音データの出力を停止すると共に、前記画像データを前記表示手段に出力するデジタルコンテンツ再生装置。
【請求項８】
請求項１〜７のいずれか１項記載のデジタルコンテンツ再生装置であって、
前記デジタルコンテンツが、本の書面を画像で表示するための画像データと、前記本の書面に記載の文章を音で読み上げるための音データとを含む電子書籍であるデジタルコンテンツ再生装置。
【請求項９】
請求項７記載のデジタルコンテンツ再生装置であって、
前記デジタルコンテンツが、本の書面を画像で表示するための画像データと、前記本の書面に記載の文章を音で読み上げるための音データとを含む電子書籍であり、
前記制御手段が、前記デジタルコンテンツの出力先を前記表示手段から前記音出力手段に切り替えるとき、前記視線検出手段により検出された視線に基づいて、前記デジタルコンテンツの出力先を変更する直前に前記表示手段で表示されていた前記文章の前記人物が見ていた位置を判定し、前記位置よりも前記文章を読む方向に対して手前の位置にある文字に対応する音の部分から前記音出力手段により出力を開始させるデジタルコンテンツ再生装置。
【請求項１０】
請求項１〜９のいずれか１項記載のデジタルコンテンツ再生装置であって、
前記デジタルコンテンツ再生装置が眼鏡型であり、
前記表示手段が、入力された画像データにしたがって、眼鏡のレンズ部に前記画像データに基づく画像を表示するものであるデジタルコンテンツ再生装置。
【請求項１１】
請求項１０記載のデジタルコンテンツ再生装置であって、
前記表示手段が、前記レンズ部に設けられた表示部と、前記表示部に前記画像データに基づく画像を投影する投影部とから構成されているデジタルコンテンツ再生装置。
【請求項１２】
請求項１１記載のデジタルコンテンツ再生装置であって、
前記デジタルコンテンツの出力先を前記音出力手段にするとき、前記表示部が透明になるデジタルコンテンツ再生装置。
【請求項１３】
請求項１１記載のデジタルコンテンツ再生装置であって、
前記レンズ部を２つ備え、
前記表示部が２つの前記レンズ部にそれぞれ設けられており、
前記デジタルコンテンツの出力先を前記音出力手段にするとき、２つの前記レンズ部のうちの一方に設けられた前記表示部が透明になるデジタルコンテンツ再生装置。
【請求項１４】
画像データと音データを含むデジタルコンテンツを再生するデジタルコンテンツ再生装置における前記デジタルコンテンツの再生制御方法であって、
前記デジタルコンテンツ再生装置が、前記デジタルコンテンツの出力先であって、前記画像データに基づく画像を表示する表示手段と、前記デジタルコンテンツの出力先であって、前記音データに基づく音を出力する音出力手段とを含み、
前記デジタルコンテンツ再生装置の動きの有無を判定する動き判定ステップと、
前記動き判定ステップで判定された動きの有無に応じて、前記デジタルコンテンツの出力先を制御する制御ステップとを備えるデジタルコンテンツの再生制御方法。
【請求項１５】
請求項１４記載のデジタルコンテンツの再生制御方法であって、
前記制御ステップでは、前記音データを前記音出力手段に出力している状態で前記動きがないと判定されたとき、前記音データの出力を停止すると共に前記画像データを前記表示手段に出力し、前記画像データを前記表示手段に出力している状態で前記動きがあると判定されたとき、前記画像データの出力を停止すると共に前記音データを前記音出力手段に出力するデジタルコンテンツの再生制御方法。
【請求項１６】
請求項１５記載のデジタルコンテンツの再生制御方法であって、
前記制御ステップでは、前記音データを前記音出力手段に出力している状態で前記動きがないと判定される期間が一定期間以上続いたとき、前記音データの出力を停止すると共に、前記画像データを前記表示手段に出力するデジタルコンテンツの再生制御方法。
【請求項１７】
請求項１５又は１６記載のデジタルコンテンツの再生制御方法であって、
前記制御ステップでは、前記画像データを前記表示手段に出力している状態で前記動きがあると判定される期間が一定期間以上続いたとき、前記画像データの出力を停止すると共に、前記音データを前記音出力手段に出力するデジタルコンテンツの再生制御方法。
【請求項１８】
請求項１５記載のデジタルコンテンツの再生制御方法であって、
前記デジタルコンテンツ再生装置が移動していることを特定可能な情報を取得する情報取得ステップと、
前記デジタルコンテンツ再生装置の角速度を検出する角速度検出ステップとを備え、
前記動き判定ステップでは、前記情報によって前記デジタルコンテンツ再生装置が移動していると判定し、且つ、前記角速度により、前記デジタルコンテンツ再生装置の前記人体に対する動きがないと判定したときには、前記デジタルコンテンツ再生装置の動きはないものとして判定し、前記情報によって前記デジタルコンテンツ再生装置が移動していると判定し、且つ、前記角速度により、前記デジタルコンテンツ再生装置の前記人体に対する動きがあると判定したときには、前記デジタルコンテンツ再生装置の動きがあると判定するデジタルコンテンツの再生制御方法。
【請求項１９】
請求項１５〜１８のいずれか１項記載のデジタルコンテンツの再生制御方法であって、
前記デジタルコンテンツ再生装置の周囲の音圧を測定する音圧測定ステップを備え、
前記制御ステップでは、前記音出力手段に前記音データを出力している状態で前記周囲の音圧が閾値以上となったとき、前記音データの出力を継続しながら、前記画像データを前記表示手段にも出力するデジタルコンテンツの再生制御方法。
【請求項２０】
請求項１５〜１９のいずれか１項記載のデジタルコンテンツの再生制御方法であって、
前記デジタルコンテンツ再生装置を装着した人物の視線を検出する視線検出ステップを備え、
前記制御ステップでは、前記音出力手段に前記音データを出力している状態で前記視線が一定箇所に集中していたとき、前記音データの出力を停止すると共に、前記画像データを前記表示手段に出力するデジタルコンテンツの再生制御方法。
【請求項２１】
請求項１４〜２０のいずれか１項記載のデジタルコンテンツの再生制御方法であって、
前記デジタルコンテンツが、本の書面を画像で表示するための画像データと、前記本の書面に記載の文章を音で読み上げるための音データとから構成される電子書籍であるデジタルコンテンツの再生制御方法。
【請求項２２】
請求項２０記載のデジタルコンテンツの再生制御方法であって、
前記デジタルコンテンツが、本の書面を画像で表示するための画像データと、前記本の書面に記載の文章を音で読み上げるための音データとから構成される電子書籍であり、
前記制御ステップでは、前記デジタルコンテンツの出力先を前記表示手段から前記音出力手段に切り替えるとき、前記視線検出ステップにより検出された視線に基づいて、前記デジタルコンテンツの出力先を変更する直前に前記表示手段で表示されていた前記文章の前記人物が見ていた位置を判定し、前記位置よりも前記文章を読む方向に対して手前の位置にある文字に対応する音の部分から前記音出力手段により出力を開始させるデジタルコンテンツの再生制御方法。
【請求項２３】
請求項１４〜２２のいずれか１項記載のデジタルコンテンツの再生制御方法であって、
前記デジタルコンテンツ再生装置が眼鏡型であり、
前記表示手段が、入力された画像データにしたがって、眼鏡のレンズ部に前記画像データに基づく画像を表示するものであるデジタルコンテンツの再生制御方法。
【請求項２４】
請求項２３記載のデジタルコンテンツの再生制御方法であって、
前記表示手段が、前記レンズ部に設けられた表示部と、前記表示部に前記画像データに基づく画像を投影する投影部とから構成されているデジタルコンテンツの再生制御方法。
【請求項２５】
請求項２４記載のデジタルコンテンツの再生制御方法であって、
前記デジタルコンテンツの出力先を前記音出力手段にするとき、前記表示部を透明にするデジタルコンテンツの再生制御方法。
【請求項２６】
請求項２４記載のデジタルコンテンツの再生制御方法であって、
前記デジタルコンテンツ再生装置には前記レンズ部が２つ設けられ、
前記表示部が２つの前記レンズ部にそれぞれ設けられており、
前記デジタルコンテンツの出力先を前記音出力手段にするとき、２つの前記レンズ部のうちの一方に設けられた前記表示部を透明にするデジタルコンテンツの再生制御方法。
【発明の詳細な説明】
【技術分野】
【０００１】
本発明は、画像データと音データを含むデジタルコンテンツを再生するデジタルコンテンツ再生装置に関する。
【背景技術】
【０００２】
眼鏡のレンズ部近辺に設けられた表示部と、ここに表示された映像を人物の眼に導く光学系とを有し、眼鏡をかけるだけで映像を見ることのできるヘッドマウントディスプレイ（ＨＭＤ）が知られている。このようなＨＭＤの中には、撮像した映像を表示部に表示して眼に導いて映像を提供する機能と、外界からの光を透過させて眼に導いて外界の実像を提供する機能とを有するものが提案されている（特許文献１参照）。
【０００３】
特許文献１のＨＭＤを装着した利用者が徒歩で移動しようとするとき、その利用者は表示部の映像ではなく、外界の実像を確認しながら歩く必要がある。例えば、このＨＭＤを用いて、文章を画像で表示するための画像データで構成される電子書籍を読む場合を考えると、利用者は、歩いている際中、外界を確認する必要があるため、文章を読む行為を中断しなければならず、移動しながら読書をすることが難しい。文章を音声で朗読してくれれば、移動しながら読書を続けることも可能であるが、特許文献１のＨＭＤにはそのような機能は搭載されていない。
【０００４】
又、電子書籍リーダーも世の中に普及しているが、この電子書籍リーダーも、移動する等読書以外の他のことをしながら読書を継続することは困難である。
【０００５】
特許文献２には、周囲の環境に応じて、文字ガイドと音声ガイドを切り替える車載用音楽発生装置が開示されているが、利用者の動きに応じて出力が切り替わるものではない。
【０００６】
特許文献３には、走行コースに応じて、表示＋音声案内出力と、他の音声出力とを切り替えるナビゲーション装置が開示されているが、利用者の動きに応じて出力が切り替わるものではない。
【０００７】
特許文献４には、設定された時間だけ再生を一時的に休止し、設定時間経過後に再生を開始して画面表示及び音声出力を行う情報再生装置が開示されているが、利用者の動きに応じて画面表示と音声出力が切り替わるものではない。
【０００８】
特許文献５には、視線を検出し、視線が一定時間以上向けられている領域を拡大する表示装置が開示されているが、音声出力の機能を持っているものではない。
【０００９】
【特許文献１】特開２００５−２８６９２７号公報
【特許文献２】特開２００５−３７７２８号公報
【特許文献３】特開２００２−８１９４９号公報
【特許文献４】特開平７−１３４８５８号公報
【特許文献５】特開平１０−３２０１０９号公報
【発明の開示】
【発明が解決しようとする課題】
【００１０】
本発明は、上記事情に鑑みてなされたものであり、日常生活の行動において、利用者に対する負荷を軽減して、読書をしたり散歩をしたりできることで、特に高齢者や障害者等の自律的で豊かな生活を営む上での視聴覚補助装置としての一助となるべく、利用者がデジタルコンテンツの内容を把握しながら、他の行動を行うことも可能なデジタルコンテンツ再生装置を提供することを目的とする。
【課題を解決するための手段】
【００１１】
本発明のデジタルコンテンツ再生装置は、画像データと音データを含むデジタルコンテンツを再生するデジタルコンテンツ再生装置であって、前記デジタルコンテンツの出力先であって、前記画像データに基づく画像を表示する表示手段と、前記デジタルコンテンツの出力先であって、前記音データに基づく音を出力する音出力手段と、前記デジタルコンテンツ再生装置の動きの有無を判定する動き判定手段と、前記動き判定手段で判定された動きの有無に応じて、前記デジタルコンテンツの出力先を制御する制御手段とを備える。
【００１２】
本発明のデジタルコンテンツ再生装置は、前記制御手段が、前記音データを前記音出力手段に出力している状態で、前記動きがないと判定されたとき、前記音データの出力を停止すると共に、前記画像データを前記表示手段に出力し、前記画像データを前記表示手段に出力している状態で、前記動きがあると判定されたとき、前記画像データの出力を停止すると共に、前記音データを前記音出力手段に出力する。
【００１３】
本発明のデジタルコンテンツ再生装置は、前記制御手段が、前記音データを前記音出力手段に出力している状態で、前記動きがないと判定される期間が一定期間以上続いたとき、前記音データの出力を停止すると共に、前記画像データを前記表示手段に出力する。
【００１４】
本発明のデジタルコンテンツ再生装置は、前記制御手段が、前記画像データを前記表示手段に出力している状態で、前記動きがあると判定された期間が一定期間以上続いたとき、前記画像データの出力を停止すると共に、前記音データを前記音出力手段に出力する。
【００１５】
本発明のデジタルコンテンツ再生装置は、人体に装着して使用するものであり、前記デジタルコンテンツ再生装置が移動していることを特定可能な情報を取得する情報取得手段と、角速度センサとを備え、前記動き判定手段が、前記情報取得手段からの情報によって前記デジタルコンテンツ再生装置が移動していると判定し、且つ、前記角速度センサからの情報により、前記デジタルコンテンツ再生装置の前記人体に対する動きがないと判定したときには、前記デジタルコンテンツ再生装置の動きはないものとして判定し、前記情報取得手段からの情報によって前記デジタルコンテンツ再生装置が移動していると判定し、且つ、前記角速度センサからの情報により、前記デジタルコンテンツ再生装置の前記人体に対する動きがあると判定したときには、前記デジタルコンテンツ再生装置の動きがあると判定する。
【００１６】
本発明のデジタルコンテンツ再生装置は、周囲の音圧を測定する音圧センサを備え、前記制御手段が、前記音出力手段に前記音データを出力している状態で前記音圧センサにより測定された音圧が閾値以上となったとき、前記音データの出力を継続しながら、前記画像データを前記表示手段にも出力する。
【００１７】
本発明のデジタルコンテンツ再生装置は、前記デジタルコンテンツ再生装置を装着した人物の視線を検出する視線検出手段を備え、前記制御手段が、前記音出力手段に前記音データを出力している状態で前記視線検出手段により検出される視線が一定箇所に集中していたとき、前記音データの出力を停止すると共に、前記画像データを前記表示手段に出力する。
【００１８】
本発明のデジタルコンテンツ再生装置は、前記デジタルコンテンツが、本の書面を画像で表示するための画像データと、前記本の書面に記載の文章を音で読み上げるための音データとを含む電子書籍である。
【００１９】
本発明のデジタルコンテンツ再生装置は、前記デジタルコンテンツが、本の書面を画像で表示するための画像データと、前記本の書面に記載の文章を音で読み上げるための音データとを含む電子書籍であり、前記制御手段が、前記デジタルコンテンツの出力先を前記表示手段から前記音出力手段に切り替えるとき、前記視線検出手段により検出された視線に基づいて、前記デジタルコンテンツの出力先を変更する直前に前記表示手段で表示されていた前記文章の前記人物が見ていた位置を判定し、前記位置よりも前記文章を読む方向に対して手前の位置にある文字に対応する音の部分から前記音出力手段により出力を開始させる。
【００２０】
本発明のデジタルコンテンツ再生装置は、前記デジタルコンテンツ再生装置が眼鏡型であり、前記表示手段が、入力された画像データにしたがって、眼鏡のレンズ部に前記画像データに基づく画像を表示するものである。
【００２１】
本発明のデジタルコンテンツ再生装置は、前記表示手段が、前記レンズ部に設けられた表示部と、前記表示部に前記画像データに基づく画像を投影する投影部とから構成されている。
【００２２】
本発明のデジタルコンテンツ再生装置は、前記デジタルコンテンツの出力先を前記音出力手段にするとき、前記表示部が透明になる。
【００２３】
本発明のデジタルコンテンツ再生装置は、前記レンズ部を２つ備え、前記表示部が２つの前記レンズ部にそれぞれ設けられており、前記デジタルコンテンツの出力先を前記音出力手段にするとき、２つの前記レンズ部のうちの一方に設けられた前記表示部が透明になる。
【００２４】
本発明のデジタルコンテンツの再生制御方法は、画像データと音データを含むデジタルコンテンツを再生するデジタルコンテンツ再生装置における前記デジタルコンテンツの再生制御方法であって、前記デジタルコンテンツ再生装置が、前記デジタルコンテンツの出力先であって、前記画像データに基づく画像を表示する表示手段と、前記デジタルコンテンツの出力先であって、前記音データに基づく音を出力する音出力手段とを含み、前記デジタルコンテンツ再生装置の動きの有無を判定する動き判定ステップと、前記動き判定ステップで判定された動きの有無に応じて、前記デジタルコンテンツの出力先を制御する制御ステップとを備える。
【００２５】
本発明のデジタルコンテンツの再生制御方法は、前記制御ステップでは、前記音データを前記音出力手段に出力している状態で前記動きがないと判定されたとき、前記音データの出力を停止すると共に前記画像データを前記表示手段に出力し、前記画像データを前記表示手段に出力している状態で前記動きがあると判定されたとき、前記画像データの出力を停止すると共に前記音データを前記音出力手段に出力する。
【００２６】
本発明のデジタルコンテンツの再生制御方法は、前記制御ステップでは、前記音データを前記音出力手段に出力している状態で前記動きがないと判定される期間が一定期間以上続いたとき、前記音データの出力を停止すると共に、前記画像データを前記表示手段に出力する。
【００２７】
本発明のデジタルコンテンツの再生制御方法は、前記制御ステップでは、前記画像データを前記表示手段に出力している状態で前記動きがあると判定される期間が一定期間以上続いたとき、前記画像データの出力を停止すると共に、前記音データを前記音出力手段に出力する。
【００２８】
本発明のデジタルコンテンツの再生制御方法は、前記デジタルコンテンツ再生装置が移動していることを特定可能な情報を取得する情報取得ステップと、前記デジタルコンテンツ再生装置の角速度を検出する角速度検出ステップとを備え、前記動き判定ステップでは、前記情報によって前記デジタルコンテンツ再生装置が移動していると判定し、且つ、前記角速度により、前記デジタルコンテンツ再生装置の前記人体に対する動きがないと判定したときには、前記デジタルコンテンツ再生装置の動きはないものとして判定し、前記情報によって前記デジタルコンテンツ再生装置が移動していると判定し、且つ、前記角速度により、前記デジタルコンテンツ再生装置の前記人体に対する動きがあると判定したときには、前記デジタルコンテンツ再生装置の動きがあると判定する。
【００２９】
本発明のデジタルコンテンツの再生制御方法は、前記デジタルコンテンツ再生装置の周囲の音圧を測定する音圧測定ステップを備え、前記制御ステップでは、前記音出力手段に前記音データを出力している状態で前記周囲の音圧が閾値以上となったとき、前記音データの出力を継続しながら、前記画像データを前記表示手段にも出力する。
【００３０】
本発明のデジタルコンテンツの再生制御方法は、前記デジタルコンテンツ再生装置を装着した人物の視線を検出する視線検出ステップを備え、前記制御ステップでは、前記音出力手段に前記音データを出力している状態で前記視線が一定箇所に集中していたとき、前記音データの出力を停止すると共に、前記画像データを前記表示手段に出力する。
【００３１】
本発明のデジタルコンテンツの再生制御方法は、前記デジタルコンテンツが、本の書面を画像で表示するための画像データと、前記本の書面に記載の文章を音で読み上げるための音データとから構成される電子書籍である。
【００３２】
本発明のデジタルコンテンツの再生制御方法は、前記デジタルコンテンツが、本の書面を画像で表示するための画像データと、前記本の書面に記載の文章を音で読み上げるための音データとから構成される電子書籍であり、前記制御ステップでは、前記デジタルコンテンツの出力先を前記表示手段から前記音出力手段に切り替えるとき、前記視線検出ステップにより検出された視線に基づいて、前記デジタルコンテンツの出力先を変更する直前に前記表示手段で表示されていた前記文章の前記人物が見ていた位置を判定し、前記位置よりも前記文章を読む方向に対して手前の位置にある文字に対応する音の部分から前記音出力手段により出力を開始させる。
【００３３】
本発明のデジタルコンテンツの再生制御方法は、前記デジタルコンテンツ再生装置が眼鏡型であり、前記表示手段が、入力された画像データにしたがって、眼鏡のレンズ部に前記画像データに基づく画像を表示するものである。
【００３４】
本発明のデジタルコンテンツの再生制御方法は、前記表示手段が、前記レンズ部に設けられた表示部と、前記表示部に前記画像データに基づく画像を投影する投影部とから構成されている。
【００３５】
本発明のデジタルコンテンツの再生制御方法は、前記デジタルコンテンツの出力先を前記音出力手段にするとき、前記表示部を透明にする。
【００３６】
本発明のデジタルコンテンツの再生制御方法は、前記デジタルコンテンツ再生装置には前記レンズ部が２つ設けられ、前記表示部が２つの前記レンズ部にそれぞれ設けられており、前記デジタルコンテンツの出力先を前記音出力手段にするとき、２つの前記レンズ部のうちの一方に設けられた前記表示部を透明にする。
【発明の効果】
【００３７】
本発明によれば、利用者がデジタルコンテンツの内容を把握しながら、他の行動を行うことも可能なデジタルコンテンツ再生装置を提供することができる。
【発明を実施するための最良の形態】
【００３８】
以下、本発明のデジタルコンテンツ再生装置の実施形態について図面を参照して説明する。以下の実施形態では、デジタルコンテンツとして、本の書面を画像で表示するための画像データと、前記本の書面に記載の文章を音で読み上げるための音データとから構成される電子書籍（電子ブック）を再生することが可能な眼鏡型のデジタルコンテンツ再生装置であるＨＭＤを例にして説明する。
【００３９】
（第一実施形態）
図１は、本発明のデジタルコンテンツ再生装置の第一実施形態であるＨＭＤの概略構成を示す図である。
図１に示すＨＭＤ１は、レンズフレーム２と柄３とからなるフレームと、レンズフレーム２に嵌め込まれた一対のレンズ部４とから構成されている。
【００４０】
一対のレンズ部４には、それぞれ、表示部として機能する偏光シャッタ５が貼り付けてられている。偏光シャッタ５は、液晶表示素子で構成されており、この液晶表示素子の液晶層に印加する電圧を制御することで、光を透過させる透過状態と、光を透過させない非透過状態とを切り替えることができる。
【００４１】
柄３には、ＨＭＤ１を人が装着した状態でその人の耳にかかる部分の近傍に一対のスピーカ７が設けられている。スピーカ７は、電子ブックに含まれる音データに基づく音を出力するものである。このスピーカ７に音データを出力することにより、電子ブックの文章が朗読されることで、電子ブックの再生が音により行われる。
【００４２】
柄３内部には、電子ブックに含まれる画像データに基づく画像（文章＋背景）を偏光シャッタ５に投影する投影部６が設けられている。投影部６は、画像データが入力されると、この画像データに基づく画像を偏光シャッタ５に投影して、この画像を表示する。この投影部６と偏光シャッタ５とにより、画像データに基づく画像を表示する表示手段が構成されている。この投影部６に画像データを出力して、ここから画像データに基づく画像が偏光シャッタ５に投影されて表示されることにより、電子ブックの再生が画像によって行われる。
【００４３】
図２は、偏光シャッタに画像を表示する方法を説明するための図である。
偏光シャッタ５は、“開”状態で透明になり光を透過するので、ＨＭＤ１を装着した利用者は、偏光シャッタ５を通して、外界の実像Ｊを見ることが可能になる。一方、偏光シャッタ５は、“閉”状態で不透明になるため、この状態で投影部６から偏光シャッタ５に画像を投影することで、利用者は、偏光シャッタ５に投影された画像を見ることが可能になる。このように、偏光シャッタ５の開閉状態の切り替えにより、ＨＭＤ１を普通の眼鏡として利用したり、画像表示装置として利用したりすることが可能となる。
【００４４】
図３は、図１に示すＨＭＤの内部構成を含めたブロック図である。
ＨＭＤ１の柄３には、更に、ＨＭＤ１の加速度を検出する加速度センサ９と、ＧＰＳ（Global Positioning System）によりＨＭＤ１の位置情報を取得するＧＰＳ１０と、信号処理部１３、再生すべき電子ブックが記録されるメモリ１４、Ｉ／Ｏインターフェース１５、システム制御部１２から出力された音データのスピーカ７への出力を制御する音声制御部１６、システム制御部１２からの指示に応じて偏光シャッタ５の開閉制御を行うシャッタ駆動部１８、及びシステム全体を統括制御するシステム制御部（ＣＰＵ）１２を含む回路８とが内蔵されている。加速度センサ９から取得できる加速度の情報とＧＰＳ１０から取得できる位置情報とは、ＨＭＤ１が移動していることを特定可能な情報となるため、加速度センサ９及びＧＰＳ１０は、ＨＭＤ１が移動していることを特定可能な情報を取得する情報取得手段として機能する。
【００４５】
システム制御部１２は、ＨＭＤ１の動きの有無を判定する動き判定機能と、動き判定機能で判定した動きの有無に応じて電子ブックの出力先を制御する出力先制御機能とを備える。
【００４６】
動き判定機能では、加速度センサ９とＧＰＳ１０からの情報により、ＨＭＤ１の動きの有無を判定する。
例えば、システム制御部１２は、加速度センサ９で検知された加速度が閾値以上であれば、ＨＭＤ１に動きがあると判定し、加速度が閾値よりも下であれば、ＨＭＤ１に動きがないと判定する。又、加速度だけで動きの有無を判定すると、ＨＭＤ１を装着した利用者が一定速度で移動しているときに、誤判定をする可能性がある。そこで、システム制御部１２は、加速度だけでなく、ＧＰＳ１０で取得される位置情報の更新がｘ秒間（ｘは初期設定により決定される変数）の間に発生したかどうかを監視し、位置情報の更新がｘ秒の間に発生していた場合に、ＨＭＤ１に動きがあると判定し、位置情報の更新がｘ秒の間に発生していなかった場合には、ＨＭＤ１に動きがないと判定する。勿論、加速度センサ９とＧＰＳ１０のどちらかの情報だけにしたがってＨＭＤ１の動きの有無を判定するようにしても良い。
【００４７】
出力先制御機能では、音データをスピーカ７に出力している状態でＨＭＤ１の動きがないと判定したとき、音データの出力を停止すると共に、画像データを投影部６に出力し、画像データを投影部６に出力している状態で、ＨＭＤ１の動きがあると判定したとき、画像データの出力を停止すると共に、音データをスピーカ７に出力する制御を行う。
【００４８】
尚、ＨＭＤ１の動きの有無だけで電子ブックの出力先を変更してしまうと、利用者のちょっとした動きによって電子ブックの再生方法が切り替わってしまう。このため、音データをスピーカ７に出力している状態でＨＭＤ１の動きがないと判定した期間が一定期間以上続いたときに、音データの出力を停止すると共に画像データを投影部６に出力し、画像データを投影部６に出力している状態でＨＭＤ１の動きがあると判定した期間が一定期間以上続いたときに、画像データの出力を停止すると共に、音データをスピーカ７に出力する制御を行うようにすることが好ましい。
【００４９】
以下、第一実施形態のＨＭＤ１の動作について説明する。
図４は、第一実施形態のＨＭＤ１の動作を説明するためのフローチャートである。
電源がＯＮされ、電子ブックの再生が開始されると、システム制御部１２は、まず、初期状態として偏光シャッタ５を“開”状態にすると共に、電子ブックの音データをスピーカ７に出力して、電子ブックを音によって再生する（ステップＳ１）。この状態では、偏光シャッタ５は透明になっているため、利用者にとっては、視界が確保されると共に、音による朗読により電子ブックの内容を知ることができる。
【００５０】
次に、システム制御部１２は、ＨＭＤ１の動きの有無の判定を開始する（ステップＳ２）。まず、システム制御部１２は、加速度センサ９で水平方向の加速度が検知されたかどうかを判断し（ステップＳ３）、水平方向の加速度が検知された場合、ＨＭＤ１に動きがあると判定し、ステップＳ２に処理を移行する。一方、システム制御部１２は、加速度センサ９で水平方向の加速度が検知されなかった場合（ステップＳ３：ＮＯ）、ステップＳ４に処理を移行する。
【００５１】
ステップＳ４では、システム制御部１２が、ＧＰＳ１０で取得される位置情報の更新が過去ｘ秒間の間に発生したかどうかを判定する。位置情報の更新が発生していた場合（ステップＳ４：ＹＥＳ）、システム制御部１２は、ＨＭＤ１に動きがあると判定し、ステップＳ２に処理を移行する。位置情報の更新が発生していなかった場合（ステップＳ４：ＮＯ）、システム制御部１２は、ＨＭＤ１に動きがないと判定し、ステップＳ５に処理を移行する。
【００５２】
ステップＳ５では、システム制御部１２が、偏光シャッタ５を“閉”状態にし、音データのスピーカ７への出力を停止すると共に、電子ブックの画像データを投影部６に出力して、電子ブックを画像によって再生する。
【００５３】
次に、システム制御部１２は、加速度センサ９で水平方向の加速度が検知されたかどうかを判断し（ステップＳ６）、水平方向の加速度が検知された場合、ＨＭＤ１に動きがあると判定し、ステップＳ８に処理を移行する。一方、システム制御部１２は、加速度センサ９で水平方向の加速度が検知されなかった場合（ステップＳ６：ＮＯ）、ステップＳ７に処理を移行する。
【００５４】
ステップＳ７では、システム制御部１２が、ＧＰＳ１０で取得される位置情報の更新が過去ｘ秒間の間に発生したかどうかを判定する。位置情報の更新が発生していた場合（ステップＳ７：ＹＥＳ）、システム制御部１２は、ＨＭＤ１に動きがあると判定し、ステップＳ８に処理を移行する。位置情報の更新が発生していなかった場合（ステップＳ７：ＮＯ）、システム制御部１２は、ＨＭＤ１に動きがないと判定し、ステップＳ９に処理を移行する。
【００５５】
ステップＳ８では、偏光シャッタ５を“開”状態にし、画像データの投影部６への出力を停止すると共に、音データをスピーカ７に出力して、電子ブックを音によって再生し、その後はステップＳ２へと処理を移行する。
【００５６】
ステップＳ９では、システム制御部１２が、電子ブックの再生を終了するかどうかを判断し、終了指示がなされておらず、再生を終了しないと判定した場合（ステップＳ９：ＮＯ）、ステップＳ６へと処理を移行する。一方、再生終了指示が利用者によってなれており、再生を終了すると判定した場合（ステップＳ９：ＹＥＳ）、ステップＳ１０へと処理を移行する。
【００５７】
ステップＳ１０では、システム制御部１２が、偏光シャッタ５を“開”状態にし、画像データの投影部６への出力を停止し、その後、電源をオフにする。
【００５８】
以上のように、本実施形態のＨＭＤ１によれば、それを装着した利用者の動きの有無によって、電子ブックを画像で再生するか音で再生するかを切り替えることができる。又、電子ブックを音で再生するときには、偏光シャッタ５が“開”状態となるため、充分な視界を確保することができる。したがって、電子ブックの内容を耳で聞きながら安全に歩くことができると共に、静止しているときには画像によって電子ブックの内容を理解することができ、移動しながらでも、読書を継続することが可能となる。利用者は、再生状態を意図せずに切り替えることができるため、利用者への負荷も小さくすることができる。
【００５９】
尚、以上の説明では、電子ブックの出力先が投影部６からスピーカ７に切り替えられたとき、一対の偏光シャッタ５のそれぞれが“開”状態（透明）になるものとしているが、一対の偏光シャッタ５の一方を“開”状態（透明）にし、他方を“閉”状態（不透明）のままにするようにしても良い。このようにした場合でも、外界の様子を確認することができるため、移動する際の安全性は確保することができる。
【００６０】
（第二実施形態）
図５は、本発明のデジタルコンテンツ再生装置の第二実施形態であるＨＭＤ１’の概略構成を示す図である。図６は、図５に示すＨＭＤ１’の内部構成を含めたブロック図である。図５において図１と同様の構成には同一符号を付し、図６において図３と同様の構成には同一符号を付してある。
【００６１】
ＨＭＤ１’は、図１のＨＭＤ１の柄３に、ＨＭＤ１’の角速度を検出するジャイロセンサ１８を追加した構成となっている。
【００６２】
図７は、ジャイロセンサの角速度検知動作を説明するための図である。
図７に示すように、ジャイロセンサ１８は、柄３のレンズフレーム２に近い端部に設けられる。図７に示すように、柄３のレンズフレーム２から離れた端部のＢ点を支点とし、ジャイロセンサ１８が設けられる端部のＡ点の角速度を検知することで、この角速度により、ＨＭＤ１’装着者に対するＨＭＤ１’の動きを検出することが可能になっている。
【００６３】
ＨＭＤ１’のシステム制御部１２は、その動き判定機能が図１のＨＭＡ１とは異なっているため、この部分について説明する。
【００６４】
システム制御部１２は、加速度センサ９及びＧＰＳ１０の少なくとも一方からの情報によってＨＭＤ１’が移動していると判定し、且つ、ジャイロセンサ１８からの情報によりＨＭＤ１’のＨＭＤ１’装着者に対する動きがないと判定したときには、ＨＭＤ１’の動きはないものとして判定し、加速度センサ９及びＧＰＳ１０の少なくとも一方からの情報によってＨＭＤ１’が移動していると判定し、且つ、ジャイロセンサ１８からの情報により、ＨＭＤ１’のＨＭＤ１’装着者に対する動きがあると判定したときには、ＨＭＤ１’の動きがあると判定する。
【００６５】
以下、システム制御部１２の動き判定機能の処理フローについて説明する。
図８は、第二実施形態のＨＭＤ１’のシステム制御部による動き判定処理の流れを説明するフローチャートである。この動き判定処理の大部分は図４と同じであるため、図４と異なる部分のみを説明する。
図４のステップＳ３又はＳ４でＹＥＳと判定された、つまり、ＨＭＤ１’が移動中であると判定した場合、システム制御部１２は、ジャイロセンサ１８で角速度が検知されたかどうかを判定する（ステップＳ１１）。角速度が検知されていた場合（ステップＳ１１：ＹＥＳ）、この場合は、ＨＭＤ１’が移動中であるが、その移動方向とは異なる方向にＨＭＤ１’が動いている、即ち、ＨＭＤ１’装着者の動きと、ＨＭＤ１’のＨＭＤ１’装着者に対する動きとが同期していないと判断できる。このような場合には、電子ブックを画像で確認することが難しいため（眼鏡が揺れているため）、システム制御部１２は、ＨＭＤ１’の動きがあるものと判定し、図４のステップＳ２に処理を移行する。
【００６６】
一方、角速度が検知されなかった場合（ステップＳ１１：ＮＯ）、この場合は、ＨＭＤ１’が移動中であるが、その移動方向と同じ方向にＨＭＤ１’が動いている、即ち、ＨＭＤ１’装着者の動きと、ＨＭＤ１’のＨＭＤ１’装着者に対する動きとが同期していると判断できる。このような場合には、電子ブックを画像で確認することが容易であるため（眼鏡が揺れていないため）、システム制御部１２は、ＨＭＤ１’の動きがないものと判定し、図４のステップＳ１５に処理を移行する。
【００６７】
同様に、図４のステップＳ６又はＳ７でＹＥＳと判定された、つまり、ＨＭＤ１’が移動していることを特定可能な情報（加速度センサ９からの加速度情報、ＧＰＳ１０からの位置情報）によって、ＨＭＤ１’が移動中であると判定した場合、システム制御部１２は、ジャイロセンサ１８で角速度が検知されたかどうかを判定する（ステップＳ１２）。角速度が検知されていた場合（ステップＳ１２：ＹＥＳ）、この場合は、ＨＭＤ１’が移動中であるが、その移動方向とは異なる方向にＨＭＤ１’が動いている、即ち、ＨＭＤ１’を装着した利用者の動きと、ＨＭＤ１’の利用者に対する動きとが同期していないと判断できる。このような場合には、電子ブックを画像で確認することが難しいため（眼鏡が揺れているため）、システム制御部１２は、ＨＭＤ１’の動きがあるものと判定し、図４のステップＳ８に処理を移行する。
【００６８】
一方、角速度が検知されなかった場合（ステップＳ１２：ＮＯ）、この場合は、ＨＭＤ１’が移動中であるが、その移動方向と同じ方向にＨＭＤ１’が動いている、即ち、ＨＭＤ１’を装着した利用者の動きと、ＨＭＤ１’の利用者に対する動きとが同期していると判断できる。このような場合には、電子ブックを画像で確認することが容易であるため（眼鏡が揺れていないため）、システム制御部１２は、ＨＭＤ１’の動きがないものと判定し、図４のステップＳ９に処理を移行する。
【００６９】
このように、加速度センサ９とＧＰＳ１０からの情報だけでＨＭＤ１’の動きがあると判定するのではなく、ジャイロセンサ１８からの情報も使って、ＨＭＤ１’の動きの有無を判定するようにすることで、ちょっとした動きで再生先が切り替わってしまうといったことを防ぐことができ、使い勝手が向上する。
【００７０】
（第三実施形態）
図９は、本発明のデジタルコンテンツ再生装置の第三実施形態であるＨＭＤの内部構成を含めたブロック図である。図９において図３と同様の構成には同一符号を付してある。又、図９に示すＨＭＤの外観は図１と同じである。
【００７１】
図９に示すＨＭＤは、図１のＨＭＤ１の回路８内に、音圧検出部１９と、スイッチ２０とを追加した構成になっている。
【００７２】
スイッチ２０は、システム制御部１２の制御により、一対のスピーカ７の一方の入力端子と音声制御部１６との接続と、該入力端子と音圧検出部１９との接続とのどちらかを選択的に切り替えるものである。スイッチ２０が接続されたスピーカ７（以下、音圧センサスピーカ７という）の入力端子が音圧検出部１９と接続されることにより、この音圧センサスピーカ７は、ＨＭＤの周囲の音圧（外部音圧）を測定する音圧センサとして機能する。
【００７３】
音圧検出部１９は、スピーカ７から出力されている音の音圧（スピーカ出力音圧）と、音圧センサスピーカ７で検出された外部音圧とを比較し、その比較結果をシステム制御部１２に通知する。
【００７４】
システム制御部１２の出力先制御機能は、第一実施形態で説明した機能に加え、スピーカ７に音データを出力している状態で、音圧センサスピーカ７により検出された外部音圧が閾値（スピーカ出力音圧）以上となったとき、スピーカ７への音データの出力を継続しながら、画像データを投影部６にも出力する機能を有する。
【００７５】
以下、第三実施形態のＨＭＤの動作について説明する。
図１０は、第三実施形態のＨＭＤの動作を説明するためのフローチャートである。
電源がＯＮされ、電子ブックの再生が指示されると、システム制御部１２は、ＨＭＤの動きの有無の判定を開始する（ステップＳ２１）。ここでの判定方法は、第一実施形態や第二実施形態で説明した方法で行われる。
【００７６】
ＨＭＤの動きがないと判定した場合、システム制御部１２は、偏光シャッタ５を“閉”状態にすると共に、電子ブックの画像データを投影部６に出力して、電子ブックを画像によって再生し（ステップＳ２７）、ステップＳ３０へと処理を移行する。
【００７７】
ＨＭＤの動きがあると判定した場合、システム制御部１２は、偏光シャッタ５を“開”状態にすると共に、電子ブックの音データをスピーカ７に出力して、電子ブックを音によって再生し（ステップＳ２３）、ステップＳ２４へと処理を移行する。
【００７８】
ステップＳ２４では、スイッチ２０によって音圧センサスピーカ７と音圧検出部１９とが接続されて、外部音圧が測定される。次に、音圧検出部１９が、外部音圧とスピーカ出力音圧を比較し（ステップＳ２５）、外部音圧の方が小さかった場合には、システム制御部１２がステップＳ２４に処理を移行する。
【００７９】
外部音圧の方が大きかった場合（ステップＳ２５：ＹＥＳ）、システム制御部１２は、偏光シャッタ５を“閉”状態にし、音データのスピーカ７への出力を継続しながら、電子ブックの画像データを投影部６に出力して、電子ブックを画像と音の両方によって再生する（ステップＳ２６）。
【００８０】
その後、再び外部音圧とスピーカ出力音圧が比較され（ステップＳ２８）、外部音圧の方が小さかった場合、システム制御部１２は、偏光シャッタ５を“開”状態にして、画像データの投影部６への出力を停止し（ステップＳ２９）、ステップＳ３０に処理を移行する。
【００８１】
ステップＳ３０では、ＨＭＤの動きの有無の判定を再度行うか否かが判定され、再度行う場合にはステップＳ２１に処理が移行され、再度行わない場合には動作が終了する。
【００８２】
以上のように、本実施形態のＨＭＤによれば、電子ブックが音によって再生されているときでも、ＨＭＤの周囲がうるさく、再生されている音が聞き取りにくくなるような状況になっていた場合には、音と画像の両方で電子ブックの再生を行うことができる。このため、電子ブックの内容を聞き取れなかった場合でも、その内容を眼で確認することができ、使い勝手が向上する。
【００８３】
（第四実施形態）
図１１は、本発明のデジタルコンテンツ再生装置の第四実施形態であるＨＭＤ１’’の概略構成を示す図である。図１２は、図１１に示すＨＭＤ１’’の内部構成を含めたブロック図である。図１１において図１と同様の構成には同一符号を付し、図１２において図３と同様の構成には同一符号を付してある。
【００８４】
ＨＭＤ１’’は、図１のＨＭＤ１に、一対の近赤外線照射装置２３と、一対の撮像装置２４と、一対の撮像装置２４からの撮像信号に基づいてＨＭＤ１’’装着者の視線を検出する視線検出演算部２２とを含む視線検出装置２１を追加した構成となっている。
【００８５】
一対の近赤外線照射装置２３は、一対のレンズ部４の一方の下部に設けられ、ＨＭＤ１’’装着者の眼球に近赤外線を照射する。一対の撮像装置２４は、一対のレンズ部４の一方の下部に設けられ、眼球で反射した近赤外線を受光して、この受光量に応じた撮像信号を視線検出演算部２２に出力する。視線検出演算部２２は、回路８に内蔵されている。
【００８６】
視線検出装置２１は、図示したような構成に限らず、様々な公知の構成を採用することができる。
【００８７】
システム制御部１２の出力先制御機能は、第一実施形態で説明した機能に加え、スピーカ７に音データを出力している状態で、視線検出装置２１により検出される視線が一定箇所に集中していたとき、音データの出力を停止すると共に、画像データを投影部６に出力する機能を有する。
【００８８】
以下、第四実施形態のＨＭＤの動作について説明する。
図１３は、第四実施形態のＨＭＤの動作を説明するためのフローチャートである。
電源がＯＮされ、電子ブックの再生が指示されると、システム制御部１２は、視線検出装置２１を初期化した（ステップＳ４１）後、ＨＭＤの動きの有無の判定を開始する（ステップＳ４２）。ここでの判定方法は、第一実施形態や第二実施形態で説明した方法で行われる。
【００８９】
ＨＭＤの動きがないと判定した場合、システム制御部１２は、偏光シャッタ５を“閉”状態にすると共に、電子ブックの画像データを投影部６に出力して、電子ブックを画像によって再生し（ステップＳ４８）、ステップＳ５１へと処理を移行する。
【００９０】
ＨＭＤの動きがあると判定した場合、システム制御部１２は、偏光シャッタ５を“開”状態にすると共に、電子ブックの音データをスピーカ７に出力して、電子ブックを音によって再生し（ステップＳ４４）、ステップＳ４５へと処理を移行する。
【００９１】
ステップＳ４５では、視線検出装置２１によってＨＭＤ１’’装着者の視線が検出される。次に、システム制御部１２が、検出された視線が一定箇所に一定期間集中しているか否かを判定し（ステップＳ４６）、視線が一定箇所に一定期間集中していた場合には、ステップＳ４７に処理を移行する。
【００９２】
ステップＳ４７では、システム制御部１２が、偏光シャッタ５を“閉”状態にし、音データのスピーカ７への出力を停止すると共に、電子ブックの画像データを投影部６に出力して、電子ブックを画像によって再生する（ステップＳ４７）。
【００９３】
一方、視線が一定箇所に一定期間集中していなかった場合（ステップＳ４６：ＮＯ）、システム制御部１２は、更に、検出された視線が一定箇所周辺範囲内で規則性のある動きをしているか否かを判定する（ステップＳ４９）。視線が規則性のある動きをしていた場合には、ステップＳ４７へと処理を移行する。尚、ステップＳ４９を省略してステップＳ４６：ＮＯの後、ステップＳ５１に直接処理を移行するようにしても良い。
【００９４】
視線が規則性のある動きをしていなかった場合、システム制御部１２は、ステップＳ５１へと処理を移行する。
【００９５】
ステップＳ５１では、ＨＭＤ１’’の動きの有無の判定を再度行うか否かが判定され、再度行う場合にはステップＳ４２に処理が移行され、再度行わない場合には動作が終了する。
【００９６】
以上のように、本実施形態のＨＭＤ１’’によれば、電子ブックが音によって再生されているときでも、ＨＭＤ１’’装着者の視線が安定している場合には、電子ブックの再生を音から画像に切り替えることができる。視線が安定しているということは、画像を容易に確認できる状況にあると判断できるため、このような処理を行うことで、利用者は、一点を見つめるという動作を行うだけで、画像による再生を指示することができるようになり、音と画像の切り替えを容易に行うことが可能となる。
【００９７】
（第五実施形態）
第五実施形態のＨＭＤは、第四実施形態のＨＭＤ１’’のシステム制御部１２の動作が異なるだけであるため、この動作についてのみ説明する。
図１４は、第五実施形態のＨＭＤの動作を説明するためのフローチャートである。図１４において図１３と同じ処理には同一符号を付してある。
システム制御部１２は、ステップＳ４３でＨＭＤに動きがあると判定すると、電子ブックを音により再生し（ステップＳ６５）、ステップＳ６６へと処理を移行する。
【００９８】
一方、システム制御部１２は、ステップＳ４３でＨＭＤに動きがないと判定すると、電子ブックを画像により再生し（ステップＳ６１）、視線検出装置２１によりＨＭＤ装着者の視線を検出する（ステップＳ６２）。次に、システム制御部１２は、検出された視線の位置が、表示されている画像のうちの文字列にあるのかどうかを判定する（ステップＳ６３）。文字列に視線位置があった場合、システム制御部６４は、画像と音の両方で電子ブックを再生する（ステップＳ６４）。文字列以外に視線位置があった場合、システム制御部６４は、ステップＳ６６へと処理を移行する。
【００９９】
ステップＳ６６では、ＨＭＤの動きの有無の判定を再度行うか否かが判定され、再度行う場合にはステップＳ４２に処理が移行され、再度行わない場合には動作が終了する。
【０１００】
以上のように、本実施形態のＨＭＤによれば、視線の位置に応じて画像と音の両方での再生と、画像のみの再生とを切り替えることができ、利便性が向上する。
【０１０１】
（第六実施形態）
第六実施形態のＨＭＤは、第四実施形態のＨＭＤ１’’のシステム制御部１２の動作が異なるだけであるため、この動作についてのみ説明する。
本実施形態のＨＭＤのシステム制御部１２の出力先制御機能は、電子ブックの出力先を投影部６からスピーカ７に切り替えるとき、視線検出装置２１により検出された視線に基づいて、その電子ブックの出力先を変更する直前に偏光シャッタ５に表示されていた文章のＨＭＤ装着者が見ていた位置を判定し、この位置よりも該文章を読む方向に対して手前の位置にある文字に対応する音の部分からスピーカ７により出力を開始させる機能を含む。
【０１０２】
例えば、「その日は良い天気であった。」という文の「その日」の位置まで読んだ時点で、画像による再生から音による朗読に切り替わる場合、視線があった文字に対応する部分から音の再生を行うと、「日は良い天気であった」という音が出力されることになり、利用者に違和感を与えてしまう。
【０１０３】
そこで、視線位置よりも文を読む方向に対して手前の位置にある文字に対応する部分から音の再生を再開することで、「その日は良い天気であった。」というふうな再生を行うことが可能となり、違和感を与えることがない。
【０１０４】
その他の実施の形態について以下に列挙する。
（１）第一〜第六実施形態において、画面表示と音出力が切り替わったときに、その切り替わり目が分かるように、電子ブックのデータにマーキングをする、或いは、電子ブックにしおりを示すタグを付ける。
（２）第四〜第六実施形態において、画像にて電子ブックを再生しているときに、ＨＭＤ装着者の視線の動きに合わせてページめくりができるようにする。
（３）第四〜第六実施形態において、画像にて電子ブックを再生しているときに、ＨＭＤ装着者の視線の動きに合わせて、テキスト或いは画像を拡大表示する。視線位置にテキスト（文字列）が有る場合はその文字列を拡大し、視線位置に画像（テキスト以外のグラフ等）がある場合はその画像を拡大する。
（４）第四〜第六実施形態において、画像にて電子ブックを再生しているときに、ＨＭＤ装着者の視線の動きに合わせて画面をスクロールさせて先読みできるようにする。視線の動きと同期をとり、視線の動きと逆方向に縦書きの場合は縦方向に画面をスクロールさせ、横書きの場合は横方向に画面をスクロールさせる。
（５）第一〜第六実施形態において、画像にて電子ブックを再生しているときに、先読みのためにグラデーションをつける、コントラストを変える、反転表示させる。
（６）第四〜第六実施形態において、画像にて電子ブックを再生しているときに、ＨＭＤ装着者の視線の動きが縦方向から停止又は横方向の動きになったとき、画面表示を一時停止する（縦書き、横書き切り替えに応じて）
【図面の簡単な説明】
【０１０５】
【図１】本発明のデジタルコンテンツ再生装置の第一実施形態であるＨＭＤの概略構成を示す図
【図２】偏光シャッタに画像を表示する方法を説明するための図
【図３】図１に示すＨＭＤの内部構成を含めたブロック図
【図４】第一実施形態のＨＭＤの動作を説明するためのフローチャート
【図５】本発明のデジタルコンテンツ再生装置の第二実施形態であるＨＭＤの概略構成を示す図
【図６】図５に示すＨＭＤの内部構成を含めたブロック図
【図７】ジャイロセンサの角速度検知動作を説明するための図
【図８】第二実施形態のＨＭＤ１’のシステム制御部による動き検出処理の流れを説明するフローチャート
【図９】本発明のデジタルコンテンツ再生装置の第三実施形態であるＨＭＤの内部構成を含めたブロック図
【図１０】第三実施形態のＨＭＤの動作を説明するためのフローチャート
【図１１】本発明のデジタルコンテンツ再生装置の第四実施形態であるＨＭＤの概略構成を示す図
【図１２】図１１に示すＨＭＤの内部構成を含めたブロック図
【図１３】第四実施形態のＨＭＤの動作を説明するためのフローチャート
【図１４】第五実施形態のＨＭＤの動作を説明するためのフローチャート
【符号の説明】
【０１０６】
１  ＨＭＤ
５  偏光シャッタ
６  投影部
７  スピーカ
１２  システム制御部
【図１】
2009222774.tif 000003
【図２】
2009222774.tif 000004
【図３】
2009222774.tif 000005
【図４】
2009222774.tif 000006
【図５】
2009222774.tif 000007
【図６】
2009222774.tif 000008
【図７】
2009222774.tif 000009
【図８】
2009222774.tif 000010
【図９】
2009222774.tif 000011
【図１０】
2009222774.tif 000012
【図１１】
2009222774.tif 000013
【図１２】
2009222774.tif 000014
【図１３】
2009222774.tif 000015
【図１４】
2009222774.tif 000016